(57)【要約】【課題】  近距離の検出が容易であり、かつ、廉価に製造可能なこと。【解決手段】  出力発振器２１が電磁波放射空間の検出対象と外パネル１１〜１４（アンテナ）との間の相対距離に相当するマイクロ波の共振回路３１を形成し、その距離と出力発振器２１の共通の固有値で発振するから、外パネル１１〜１４の近くに検出対象２７が近づくと、マイクロ波の電界が検出対象２７で反射或いは吸収され、電磁波放射空間の場が変化し、外パネル１１〜１４に戻った反射波の検出対象２７からの距離に相当する波長成分（周波数）が変化する。この周波数変化を基準発振器２２の出力とミキサ２３でミキシングし、変動差分の周波数を抽出すると共に振幅変化を検出する。【選択図】    図２
2005134236.tif 000002
【特許請求の範囲】
【請求項１】
取付け対象に一体または分離可能に取付けてなる導電性部材と、前記導電性部材の大きさに対し、十分波長が短い周波数で前記導電性部材をアンテナとして放射するマイクロ波を供給する出力発振器とを具備し、
前記導電性部材の外側に設定した検出領域内に検出対象があるとき、前記導電性部材と前記検出領域の検出対象との間に空洞共振回路と見做される見做し回路を形成し、当該見做し回路の周波数を前記出力発振器から得て、前記検出領域の検出対象を前記出力発振器の発振周波数の変化として検出することを特徴とする近接センサ。
【請求項２】
取付け対象に一体または分離可能に取付けてなる導電性部材と、
前記導電性部材の大きさに対し、十分波長が短い周波数で前記導電性部材をアンテナとして放射するマイクロ波を供給する出力発振器と、
前記出力発振器から出力された周波数と基準発振器から得られた周波数とをミキシングするミキサと、
前記ミキサでミキシングした周波数を選択すると共に検波した周波数の信号によって、前記導電性部材の外側に設定した検出領域内の検出対象を認識する認識回路と
を具備することを特徴とする近接センサ。
【請求項３】
前記出力発振器は、誘電体発振器またはＬＣ発振器としたことを特徴とする請求項１または請求項２に記載の近接センサ。
【請求項４】
前記取付け対象に一体または分離可能な導電性部材は、車両に対して開閉自在に取付けられる開閉体であることを特徴とする請求項１乃至請求項３の何れか１つに記載の近接センサ。
【発明の詳細な説明】
【技術分野】
【０００１】
本発明は、特定の電磁波放射空間の変化を検出する近接センサに関するものであり、使用周波数が３００ＭＨｚから３００ＧＨｚのマイクロ波を使用した近距離の検出対象を検出する近接センサに関するものである。
【背景技術】
【０００２】
一般に、２００ＫＨｚ〜１ＭＨｚ程度の発振周波数を使用するテルミンの回路は、発振器とその発振器の一部であるアンテナに対して、人の手が近づくときの発振周波数の変化を、音の変化に変換して電子楽器として用いるものとして公知である。
【０００３】
このテルミンの回路を、近接センサとして使用すれば、距離の変化を周波数の変化として検出することが可能となる。
【０００４】
ところが、一般のテルミンの回路においては、人体が介在したり、近くに存在すると、発振器の一部に人のコンデンサ容量の変化分が周波数の変動となり、人の大きさの影響の方が大きく、仮に、物体の材質を変化させても、物体の大きさが大きくなっても、近接センサとしては精度を向上させることができない。そして、人体等の近距離の検出は、アンテナと人体との間の静電容量が大きく作用してしまい不可能となる。
【０００５】
そこで、特開２００１−４７４１号公報では、広帯域に亘って周波数変調をかけたマイクロ波を放射し、そのマイクロ波の反射受信信号と送信信号とのミキシングを行い、マイクロ波伝搬距離に応じた周波数と位相を持つアンテナから放射したマイクロ波の反射波を検出して、放射から反射波を受信するまでの時間から、物体までの距離を演算するビート信号をミキサから出力する。ビート信号と所定距離に応じた周波数を持つ直交する２つのリファレンス信号との掛算・総和をそれぞれ行い、２つの総和の比を求め、その比から、ビート信号の位相に対応する信号を求め、そして、この位相に対応する信号の時間的または空間的変化を対象距離の時間的変化量または空間的変化量に換算している。
【０００６】
これによって、マイクロ波等の電波または音波を用いて測定を行うために、そのビーム幅が、反射体の孔や微小な凹凸の分布に影響されることなく、平均的な距離を表す信号を安定に得ることができる程度に広く、そのため、平均化処理を別途に行う必要がない。また、受信信号の処理が高速に行えるから、検出速度を高速化することができるという特徴を有する。
【特許文献１】特開２００１−４７４１号公報
【発明の開示】
【発明が解決しようとする課題】
【０００７】
このような、アンテナから放射したマイクロ波の反射を検出して、放射から反射波を受信するまでの時間から、物体までの距離を演算する一般的な周波数変調連続波方式（ＦＭＣＷ方式）では、例えば、周波数偏移（スイープ）幅を大きくとり、かつ、周波数の先鋭度を確保するために高い周波数を用いなければならなかった。しかし、その条件を満たす１００ＧＨｚ以上の高い周波数を用いると、装置が高価となる問題点があった。
【０００８】
特に、上記特開２００１−４７４１号公報に掲載の周波数変調連続波方式では、掃引周波数を１．５ＧＨｚ、掃引周波数時間３ｍｓにすれば、近距離のビート周期により、距離を推定できる。しかし、絶対距離を測定することはできないため、例えば、レーザーによる三角測量等の方式を併用しなければならない。その結果、コスト、装置の大型化、反射面等に制約ができ、低価格は実現し難くなる。
【０００９】
また、公知のドップラー効果を利用した２周波連続波方式では、電磁波放射空間にある検出対象物体が停止していると距離検出が原理的に不可能である。また、パルス式ドップラー方式ではパルス幅が１ｐｓ程度の幅が必要となり、低価格では実現できない。
【００１０】
そこで、本発明は、近距離の検出が容易であり、かつ、廉価に製造可能な近接センサの提供を課題とするものである。
【課題を解決するための手段】
【００１１】
請求項１にかかる近接センサは、取付け対象に取付けてなる導電性部材と、前記導電性部材の大きさに対し、十分波長が短い周波数で前記導電性部材をアンテナとして放射するマイクロ波を供給する出力発振器とを具備し、前記導電性部材の外側に設定した検出領域内に検出対象があるとき、前記導電性部材と前記検出領域の検出対象との間に空洞共振回路と見做される見做し回路を形成し、その見做し回路の周波数を前記出力発振器から得て、前記検出領域の検出対象を前記出力発振器の発振周波数の変化として検出するものである。
【００１２】
導電性部材の大きさに対し十分波長が短い周波数を出力発振器から導電性部材に供給し、導電性部材をアンテナとしてマイクロ波を放射する。導電性部材をアンテナとしてマイクロ波を放射したとき、そのマイクロ波の放射されている領域に検出対象（誘電体）が近づくと、導電性部材と検出対象が互いをアンテナと機能する空洞共振回路と見做される見做し回路を形成し、導電性部材から放射された電磁波の電界が、前記検出対象で反射或いは吸収される。この見做し回路において、導電性部材から放射された電磁波の電界が、検出対象で反射或いは吸収され、その影響が出力発振器の出力周波数の変化となって現れる。したがって、出力発振器の発振周波数の偏移（シフト）、特定周波数の振幅を検出することにより、検出対象を検出することができる。検出対象の検出は、出力発振器の発振周波数の偏移、当該周波数の振幅の変化等の周波数の変化として検出し、検出対象の存在・否存在、検出対象の移動速度、検出対象の大きさ等を検出することができる。
【００１３】
ここで、上記取付け対象とは、近接センサの取付け対象物を意味し、また、上記導電性部材は、取付け対象に一体または分離可能な導電体であればよく、基本的構造が一次元的構造体(主に、長さ方向のみのもの)、二次元的構造体(主に、面積のみ有するもの)、三次元的構造体とすることができる。
【００１４】
上記出力発振器は、誘電体発振器またはＬＣ発振器等の出力側の共振条件に引き込まれ易いマイクロ波の発振器を意味する。そして、特定周波数からなる安定したマイクロ波を発振する基準発振器は、外部からの影響により、自己の発振周波数を変更しない程度の安定したマイクロ波の発振器である。
【００１５】
また、上記検出領域とは、上記導電性部材の外側に設定した範囲で、導電性部材及びマイクロ波の波長出力によって決定されるが、通常、５０ｃｍ以内、好ましくは３０ｃｍ以内の任意の距離に設定される。
【００１６】
なお、前述したように、導電性部材からマイクロ波を放射したとき、そこに検出対象が近づくと、導電性部材と検出対象が互いをアンテナとして機能する空洞共振回路と見做される見做し回路が形成される。ここで、本発明において、出力発振器から出力され導電性部材から放射された電磁波の電界が、検出対象によって反射或いは吸収される二次元的領域が上記検出領域であり、また、上記検出領域を三次元的に捉えたマイクロ波の放射される三次元的空間が電磁波放射空間である。
【００１７】
請求項２にかかる近接センサは、取付け対象に取付けてなる導電性部材と、前記導電性部材の大きさに対し、十分波長が短い周波数で前記導電性部材をアンテナとして放射するマイクロ波を供給する出力発振器と、前記出力発振器から出力される周波数を得て、基準発振器から得られた周波数とをミキシングするミキサと、前記ミキサでミキシングした周波数を選択すると共に検波した周波数の信号によって、前記導電性部材の外側に設定した検出領域内の検出対象の変化を認識する認識回路とを具備するものである。
【００１８】
導電性部材の大きさに対し十分波長が短い周波数を出力発振器から導電性部材に供給し、その導電性部材をアンテナとしてマイクロ波を放射する。導電性部材をアンテナとしてマイクロ波を放射したとき、そこに検出対象が近づくと、導電性部材と検出対象が互いをアンテナと機能する空洞共振回路と見做される見做し回路を形成し、出力発振器から出力され、導電性部材から放射された電磁波の電界が、検出対象で反射或いは吸収される。この検出対象の存在により、導電性部材から放射された電磁波の電界が検出対象で反射或いは吸収され、その影響が出力発振器の出力周波数の変化となって現れる。その出力発振器の出力周波数の変化は、ミキサで基準発振器から得られた周波数とミキシングされてダウンコンバートされ、前記ミキサを通過させた周波数の偏移、当該周波数の振幅の変化を認識回路で確認することにより、検出対象の存在・否存在、検出対象の移動速度、検出対象の大きさ等を検出する。
【００１９】
ここで、上記取付け対象、出力発振器、検出領域については請求項１と同様であり、また、電磁波放射空間についても同様である。上記ミキサは、得られた周波数（ｆ）と基準発振器から得られた周波数（ｆo）をミキシングし、ダウンコンバートしたミキシング周波数（ｍｆ＋ｎｆo；但し、ｍ,ｎは−∞〜＋∞の整数）とするものであればよい。更に、上記バンドパスフィルタは、上記ミキサでミキシングしたミキシング周波数（|ｆ＋ｆo|、|ｆ−ｆo|）のうちの一方の周波数（|ｆ＋ｆo|または|ｆ−ｆo|）のみを取出すものであり、検波器の前で信号処理するもの、または検波器を通過した後で信号処理するものの何れであってもよい。更に、上記認識回路は、通常、上記電磁波放射空間である検出領域の変化を発振周波数の変化（ミキサを通過させた周波数の偏移、当該周波数の振幅の変化等）として認識するものであり、既知の距離、大きさ等に対応する基準となる周波数の偏移、当該周波数の振幅の変化等との比較を行うことにより、検出対象の距離、大きさ等をリニアに検出するものである。このミキサを通過させた周波数の偏移、当該周波数の振幅の変化として、時間的要素の導入により移動速度も検出可能である。この認識回路は、アナログ回路またはデジタル回路で構成されるものであればよい。具体的には、Ｆ−Ｖ変換器、ＦＦＴ等とメモリ等で構成され、前記ミキサを通過させた周波数の偏移、当該周波数の振幅の変化等が記憶されているマップを有し、当該マップの情報と比較して判断するものである。また、ミキサを通過させた周波数を限定すれば、当該周波数の通過の有無により、所定の閾値との間で２値の出力を得ることもできる。
【００２０】
請求項３にかかる近接センサの前記出力発振器は、誘電体発振器（ＤＲＯ）またはＬＣ発振器としたものであるから、廉価に、マイクロ波を発生する発振器となり、かつ、正確な動作が期待できる。
【００２１】
請求項４にかかる近接センサは、前記取付け対象に一体または分離可能な導電性部材は、車両に対して開閉自在に取付けられる開閉体としたものであるから、構造を簡単にし、かつ、廉価に製造することができる。
【発明の効果】
【００２２】
請求項１にかかる近接センサは、取付け対象に取付けてなる導電性部材の外側に設定した検出領域内に検出対象があるとき、前記導電性部材と前記検出領域の検出対象との間に空洞共振回路と見做される見做し回路を形成し、その見做し回路の周波数を前記導電性部材の大きさに対し、十分波長が短い周波数で前記導電性部材をアンテナとして放射するマイクロ波を供給する出力発振器から得て、前記出力発振器の発振周波数の偏移、振幅等を検出するものである。
【００２３】
したがって、空洞共振回路と見做される見做し回路を形成する導電性部材から放射された電磁波の電界が、検出対象で反射或いは吸収され、その影響が出力発振器の出力周波数の変化となって現れるから、その出力発振器の発振周波数の周波数の偏移、当該周波数の振幅の変化を検出することにより、検出対象の存在・否存在、検出対象の移動速度、検出対象の大きさ等を検出することができる。
【００２４】
仮に、公知のテルミンの回路を利用して近接センサを構成したとしても、その波長からみて検出対象までの距離が短いものでは、検出対象をアンテナとして機能する導電性部材とアース間のコンデンサ容量として検出し、当該コンデンサ容量の大きさによって距離精度誤差が大きくなるが、本発明は、検出対象とアンテナと機能する導電性部材の間の相対距離に相当するマイクロ波の空洞共振回路と見做される見做し回路を形成でき、電磁波の電界・磁界の相互影響の方が大きくなり、電磁波放射空間の検出対象の静電容量に影響され難くなるから、検出精度が向上する。また、使用周波数が３００ＭＨｚから３００ＧＨｚのマイクロ波の使用によって、電磁波放射空間の湿度、温度、水蒸気、圧力等の雰囲気によって影響を受けない検出を可能とするため、装置が廉価となる。
【００２５】
よって、近距離の検出が容易であり、かつ、廉価に製造可能な近距離状態の検出が可能となる。
【００２６】
請求項２にかかる近接センサは、取付け対象に取付けてなる導電性部材の外側に設定した検出領域内に検出対象があるとき、前記導電性部材と前記検出領域の検出対象との間に空洞共振回路と見做される見做し回路を形成し、その見做し回路の周波数を前記導電性部材の大きさに対し、十分波長が短い周波数で前記導電性部材をアンテナとして放射するマイクロ波を供給する出力発振器から得て、基準発振器から得られた周波数とをミキサでミキシングし、そのミキシングした周波数から特定の周波数を選択すると共に検波し、認識回路はその検波した周波数の信号によって、前記導電性部材の外側に設定した検出領域内の検出対象の変化を検出するものである。
【００２７】
したがって、空洞共振回路と見做される見做し回路を形成する導電性部材から放射された電磁波の電界が検出対象で反射或いは吸収され、その影響が出力発振器の出力周波数の変化となって現れるから、認識回路でその出力発振器の発振周波数の周波数の偏移、当該周波数の振幅の変化を検出することにより、検出対象の存在・否存在、検出対象の移動速度、検出対象の大きさ等を検出することができる。
【００２８】
仮に、公知のテルミンの回路を利用して近接センサを構成したとしても、検出対象をアンテナとして機能する導電性部材とアース間のコンデンサ容量として検出し、距離精度誤差が大きくなるが、本発明は、検出対象とアンテナと機能する導電性部材の間の相対距離に相当するマイクロ波の空洞共振回路と見做される見做し回路を形成し、電磁波の電界・磁界の相互影響の方が大きくなり、電磁波放射空間の検出対象の静電容量に影響され難くなるから、検出精度が向上する。また、使用周波数が３００ＭＨｚから３００ＧＨｚのマイクロ波の使用によって、電磁波放射空間の湿度、温度、水蒸気、圧力等の雰囲気によって影響を受けない検出を可能とするため、装置が廉価となる。
【００２９】
よって、近距離の検出が容易であり、かつ、廉価に製造可能な近距離状態の検出が可能となる。
【００３０】
請求項３の近接センサは、上記請求項１または請求項２の前記出力発振器を誘電体発振器またはＬＣ発振器としたものであるから、発振器自体が廉価となり、結果的に装置を廉価にすることができる。
【００３１】
請求項４の近接センサは、上記請求項１乃至請求項３の何れか１つに記載の前記取付け対象に一体または分離可能な導電性部材は、車両に対して開閉自在に取付けられる開閉体としたものであるから、構造を簡単にし、かつ、廉価に製造することができる。
【発明を実施するための最良の形態】
【００３２】
次に、本発明にかかる実施の形態の近接センサについて、図を用いて説明する。
【００３３】
図１は本発明の実施の形態の近接センサを搭載した車両の全体構成概念図、また、図２は本発明の実施の形態の近接センサの機能ブロック図である。
【００３４】
図１において、車両１の各ドアの外パネル１１〜１４には、出力発振器２１のアンテナ端子が電気的に給受電点に接続され、各ドアの外パネル１１〜１４がアンテナとして機能するようになっている。この外パネル１１〜１４は、本実施の形態の取付け対象である車両１に一体または分離可能に取付けてなる導電性部材を構成する。
【００３５】
なお、本実施の形態においては、取付け対象である車両１の各ドアの外パネル１１〜１４がアンテナとなっている事例で説明するが、取付け対象である前後のバンパー、トランクリッド、ボンネット等についても、外パネル１１〜１４と同様に使用することができる。
【００３６】
近接センサ１０の出力は、電子制御回路２に入力されている。電子制御回路２は、この実施の形態ではドア開閉システムの障害物検知を実行するマイクロコンピュータからなり、ドアを開閉するときに、安全にドアを開閉できるか、障害物が存在してないか否かを判定し、人または構造物を検知するとドアの開閉を停止させ、車両１内に警報音を発生させるものである。
【００３７】
出力発振器２１は、周波数が３００ＭＨｚ〜３００ＧＨｚのマイクロ波を発振する発振器で、アンテナとして機能する外パネル１１〜１４からマイクロ波を放射し、外パネル１１〜１４の外周囲に設定した検出領域１１Ａ〜１４Ａに、検出しようとする人、物体等の検出対象２７が存在するか否かを判断するものである。なお、検出領域１１Ａ〜１４Ａは、外パネル１１〜１４に対し、放射するマイクロ波の周波数の半波長分の距離の外側に設定される。
【００３８】
この出力発振器２１は、具体的には、外的要因で発振周波数が変化し易い、換言すれば、ＰＬＬ回路等を有しない外的要因に同調しやすい誘電体発振器（ＤＲＯ）またはＬＣ発振器としたものである。この出力発振器２１のアンテナ端子は、外パネル１１〜１４の給受電点に電気的に接続されている。したがって、この出力発振器２１は、検出領域１１Ａ〜１４Ａの状態変化によって、その波長の変化、即ち、出力発振器２１の発振周波数の周波数の偏移、当該周波数の振幅の変化等を得ることができる。
【００３９】
ここで、出力発振器２１と、検出領域１１Ａ〜１４Ａの状態変化によって、出力発振器２１の発振周波数の周波数の偏移、当該周波数の振幅の変化等の周波数の変化について説明する。
【００４０】
外パネル１１〜１４は出力発振器２１からマイクロ波の供給を受けて、外パネル１１〜１４の外方向にマイクロ波を放射する。このマイクロ波を放射により、検出領域１１Ａ〜１４Ａに、人、物体等の検出対象２７が存在すると、外パネル１１〜１４から放射された電磁波の電界が検出対象２７で反射或いは吸収され、その影響が出力発振器２１の出力周波数の変化となって現れる。即ち、外パネル１１〜１４によって検出対象２７を検出する領域は共振回路３１として機能し、ここにおいては、検出領域１１Ａ〜１４Ａにおいて、人、物体等の検出対象２７が存在するか否かによって、無数の共振周波数を持つことになる。出力発振器２１は、その具現化された構造的装置、即ち、マイクロ波発生装置３２としてみると、２〜３程度の複数の共振周波数を有する。
【００４１】
ここで、共振回路３１とマイクロ波発生装置３２とを一体に接続すると、その発振周波数が近くに存在しているために、共振回路３１の発振周波数が出力発振器２１の発振周波数と引合って、両者は共通する１つの特定の共振周波数で発振することになる。
【００４２】
即ち、外パネル１１〜１４をアンテナとしてマイクロ波を放射する共振回路３１と外パネル１１〜１４の大きさに対し十分波長が短い周波数を出力する出力発振器２１からなるマイクロ波発生装置３２とが共通する１つの特定の共振周波数となる見做し回路３３が形成される。出力発振器２１から出力され、外パネル１１〜１４から放射された電磁波の電界は、検出対象２７で反射或いは吸収される。この見做し回路３３における検出対象２７の存在により、外パネル１１〜１４から放射された電磁波の電界が検出対象２７で反射或いは吸収され、その影響が出力発振器２１の出力周波数の変化となって現れる。この出力発振器２１の発振周波数の偏移、特定周波数の振幅を検出することにより、検出対象２７の状態を検出することができる。検出対象２７の検出は、出力発振器２１の発振周波数の周波数の偏移、周波数の振幅の変化等の周波数の変化を検出することにより、検出対象２７の存在・否存在、検出対象２７の移動速度、検出対象２７の大きさ等を得ることができる。
【００４３】
前述したように、外パネル１１〜１４をアンテナとしてマイクロ波を放射しているとき、そこに検出対象２７が近づくと、外パネル１１〜１４と検出対象２７が互いをアンテナと機能する空洞共振回路と見做される見做し回路３３を形成する。この見做し回路３３において、検出領域１１Ａ〜１４Ａとは、出力発振器２１から出力され、外パネル１１〜１４から放射された電磁波の電界が、検出対象２７で反射或いは吸収され、出力発振器２１の発振周波数の偏移、特定周波数の振幅となって反応がある二次元領域となる。同様に、電磁波放射空間とは、検出領域１１Ａ〜１４Ａを三次元的に捉えたマイクロ波の放射される三次元空間である。したがって、本発明の実施の形態を説明する検出領域１１Ａ〜１４Ａと電磁波放射空間は、何れも検出対象２７を検出可能な領域を意味することになる。
【００４４】
一方、ＰＬＬ回路等によって出力周波数が変化し難い基準発振器２２は、電磁波放射空間の状態変化によって影響されることのない特定の周波数（ｆo）からなる安定したマイクロ波を発振する発振器で、通常、出力発振器２１の出力周波数をミキサ２３でダウンコンバートする基準の周波数（ｆo）となるものである。
【００４５】
そして、ミキサ２３は、出力発振器２１から得られた周波数（ｆ）と基準発振器２２から得られた周波数（ｆo）をミキシングし、ダウンコンバートするもので、具体的には、ミキシングにより、ミキシング周波数（ｍｆ＋ｎｆo；但し、ｍ,ｎは−∞〜＋∞の整数）を得るものであればよい。バンドパスフィルタ２４はミキシング周波数（ｍｆ＋ｎｆo）から、本実施の形態では、特定のミキシング周波数（|ｆ＋ｆo|）を選択するフィルタであり、また、検波器２５は、バンドパスフィルタ２４を通過した周波数を検波して所定の周波数の振幅のみとする回路である。なお、このバンドパスフィルタ２４と検波器２５は、特定のミキシング周波数（ｆ＋ｆo）のみ復調すればよいことであるから、本発明を実施する場合には、バンドパスフィルタ２４と検波器２５の信号処理の順序を問うものではない。結果的に、周波数変化を基準発振器（ｆo）によってミキシングし、バンドパスフィルタ２４を通して特定の周波数を取出し、当該取出した周波数を検波器２５によって検波し、振幅変化に変換するものであればよい。
【００４６】
更に、認識回路２６は、バンドパスフィルタ２４を通過した周波数の信号を検波する検波器２５を通過させた周波数の信号によって、電磁波放射空間の変化を認識し、その内容を識別するもので、この検出された周波数の偏移（シフト）及びその特定周波数の振幅(電圧)変化は、人、物体等の検出対象２７の距離、大きさに相当する周波数偏移、特定周波数の振幅を予め基準電圧として測定しておき、その周波数偏移、基準電圧から距離、大きさ、移動速度を推定することで検出を行うものである。このため、具体的には、Ｆ−Ｖ変換器、ＦＦＴ等とメモリ等で構成され、ミキサ２３を通過させた周波数の偏移、当該周波数の振幅の変化等が記憶されているメモリマップを有しており、当該メモリマップの情報と比較して電磁波放射空間の変化を判断する。しかし、バンドパスフィルタ２４の帯域を狭くし、電磁波放射空間である検出領域１１Ａ〜１４Ａに人等の検出対象２７が存在しないときと、存在するときに、バンドパスフィルタ２４を通過する周波数（信号）の有無が変化すれば、検出対象２７の有無を２値（ＯＮ，ＯＦＦ）で検出することができる。
【００４７】
そして、方向性結合器２８は、出力発振器２１の出力が電磁波放射空間である検出領域１１Ａ〜１４Ａの状態変化に左右され、その出力周波数が変化するから、その変化する周波数成分のみミキサ２３に入力し、基準発振器２２の出力にまで影響を及ぼさないようにするものである。
【００４８】
なお、本実施の形態の近接センサ１０を構成する出力発振器２１、基準発振器２２、ミキサ２３、バンドパスフィルタ２４、検波器２５は、車両１の各ドアの外パネル１１〜１４と内パネル（図示しない）との間に内蔵されている。
【００４９】
近接センサ１０の出力は、電子制御回路２に入力されている。電子制御回路２は、この実施の形態ではドア開閉システムの障害物検知装置を実行するマイクロコンピュータとなっている。
【００５０】
即ち、このとき、人、物、それらの大きさ等の周波数の偏移及び周波数の振幅情報は、それらの情報を認識回路２６の内部で基準とする周波数の偏移及び振幅情報と比較参照して、検出対象２７までの距離、検出対象２７の大きさ、検出対象２７の移動速度を推定判断する。この方法によれば、車両１のドアの自動開閉操作時の変化と、人や物との接近をも区別することができる。例えば、電子制御回路２は、ドアを開閉するときに、安全にドアを開閉できるか、障害物が存在しないか否かを判定し、人または構造物を検知するとドアの開閉を停止させ、車両内に警報音を発生させることもできる。
【００５１】
このように構成した本実施の形態の近接センサは、次のように動作する。
【００５２】
出力発振器２１の出力は、車両１の各ドアの外パネル１１〜１４をアンテナとして、外パネル１１〜１４から電磁波放射空間にマイクロ波を放射する。このとき、外パネル１１〜１４と検出対象２７が互いをアンテナと機能する空洞共振回路と見做される見做し回路３３を形成することになる。この空洞共振回路と見做される見做し回路３３の出力は、１つの周波数の変化として出力発振器２１の出力から得られた周波数（ｆ）に現れる。得られた周波数（ｆ）と基準発振器２２から得られた周波数（ｆo）をミキサ２３で、基準発振器２２から得られた周波数とミキシングされてダウンコンバートされ、ミキサ２３を通過させた周波数の偏移、当該周波数の振幅の変化を認識回路２６で確認することにより、検出対象２７の存在・否存在、検出対象２７の移動速度、検出対象２７の大きさ等を検出する。
【００５３】
このように、検出対象２７と外パネル１１〜１４との間の相対距離に相当するマイクロ波の空洞共振回路と見做される見做し回路３３を形成できるから、マイクロ波の電界・磁界の相互影響の方が検出対象２７の静電容量の影響よりも大きく、外パネル１１〜１４間の電界強度(磁界)の共振回路３１としてみなすことができ、電磁波放射空間の検出対象２７の静電容量に影響され難くなる。
【００５４】
出力発振器２１の周波数が外パネル１１〜１４からマイクロ波が放射されても、反射または吸収を起こす検出対象２７が電磁波放射空間内にない場合には、出力発振器２１の周波数変動は生じない。
【００５５】
ところが、外パネル１１〜１４の近くに人等の検出対象２７が近づくと、マイクロ波の電界が検出対象２７で反射或いは吸収され、電磁波放射空間の状態が変化する。このとき、外パネル１１〜１４に戻った反射波の検出対象２７からの距離に相当する周波数成分（波長成分）が、外パネル１１〜１４から出力される出力発振器２１の周波数に近い周波数であり、形式的には、２種類の周波数が存在する状態になるが、現実には、互いに結合し、共振現象の周波数としては１つの周波数（ｆ）に変化する。この周波数変化を基準発振器２２の出力周波数（ｆo）をミキサ２３に導入し、このミキサ２３によってミキシングした周波数は、ミキシング周波数（|ｆ＋ｆo|）とミキシング周波数（|ｆ−ｆo|）となる。ミキサ２３からのミキシング周波数（|ｆ＋ｆo|、|ｆ−ｆo|）は、バンドパスフィルタ２４を通して変動差分の周波数、即ち、ミキシング周波数（ｆ＋ｆo）またはミキシング周波数（ｆ−ｆo）を取出し、当該取出したミキシング周波数（ｆ＋ｆo）またはミキシング周波数（ｆ−ｆo）を検波器(Ｓカーブ特性器)２５によって検波し、ミキシング周波数（ｆ＋ｆo）またはミキシング周波数（ｆ−ｆo）の振幅を検出する。ミキサ２３を通過させたミキシング周波数（ｆ＋ｆo）またはミキシング周波数（ｆ−ｆo）の偏移、当該周波数の振幅の変化を認識回路２６で確認することにより、検出対象２７の存在・否存在、検出対象２７の移動速度、検出対象２７の大きさ等を検出する。
【００５６】
本実施の形態で使用する出力発振器２１は、使用周波数が３００ＭＨｚから３００ＧＨｚのマイクロ波を発振する誘電体発振器としたものであるから、廉価に、マイクロ波を発生することができ、装置全体を廉価にすることができる。
【００５７】
また、本実施の形態のアンテナは、車両１のドアの外パネル１１〜１４としたものである。特に、車両１のドアをアンテナとしたものでは、防犯システム、キーレスエントリーシステム等のセンサとして使用でき、しかも、電磁波放射空間を車両１のドアの外パネル１１〜１４から１００ｃｍ〜３０ｃｍ以内に設定することもできる。
【００５８】
したがって、認識回路２６の出力を入力する電子制御回路２は、この実施の形態ではドア開閉システムの障害物検知を実行するマイクロコンピュータからなり、ドアを開閉するときに、安全にドアを開閉できるか、障害物が存在しないか否かを判定し、人または構造物を検知するとドアの開閉を停止させ、車両１内に警報音を発生させることもできる。
【００５９】
また、公知のスマートキーと組み合わせると、車両１の運転手が車両１に近づくことにより、ドアの開放を行うことができるが、このとき、例えば、運転手側のドアの反対側に人が隠れている場合には、電子制御回路２によって、それが検出されているから、運転手にそれを警告することができるし、必要に応じて、運転手側のドアを開放しないようにし、異常を警報することもできる。勿論、運転手側のドアのみを開放し、運転手の乗り込みを急がせ、全ドアをロック状態とすることもできる。即ち、車両１付近に第三者がいることを、スマートキーの持ち主と区別することで判定し、運転者にそれを警告することができる。加えて、スマートキーとの区別により、人が近づくとキー操作なしてドアを開放し、人が離れると閉鎖することもできる。
【産業上の利用可能性】
【００６０】
本発明は、電磁波放射空間の湿度、温度、水蒸気、圧力等の雰囲気の影響を受けないで検出対象２７の近距離の検出を可能とするから、防犯システム、キーレスエントリーシステム等のセンサのみでなく、自然界の空気中の湿度変化等の気象条件が変化しても、それに影響されなくなるから、各種の近距離を検出するセンサとして使用できる。
【００６１】
また、車両１に取付ける場合でも、走行中に前方バンパーで検出対象２７を跳ねたとき、それを本実施の形態の近接センサで検出し、ボンネットの上に検出対象２７が載る可能性が高いので、ボンネットを浮き上がらせ、ボンネット状に軟着陸させるようにすることができる。または、ボンネットにエアバックを作動させることができる。
【００６２】
そして、本実施の形態の近接センサを後方バンパーに取付けることにより、バックソナーとしても使用できる。
【００６３】
更に、本実施の形態の近接センサは、車両のシートに配設することにより、着座の有無、着座の姿勢を検出し、ヘッドレストの昇降、起倒等の制御にも使用できる。
【図面の簡単な説明】
【００６４】
【図１】図１は本発明の実施の形態の近接センサを搭載した車両の全体構成概念図である。
【図２】図２は本発明の実施の形態の近接センサの機能ブロック図である。
【符号の説明】
【００６５】
１        車両
１１〜１４      外パネル（導電性部材）
１１Ａ〜１４Ａ      検出領域
２１      出力発振器
２２      基準発振器
２３      ミキサ
２４      バンドパスフィルタ
２５      検波器
２６      認識回路
２７      検出対象
３３      空洞共振回路と見做される見做し回路
【図１】
2005134236.tif 000003
【図２】
2005134236.tif 000004